(57)【要約】【課題】本発明は、開閉可能な分草具を備えた刈取装置の分草能力及び分草部の剛性を高めることを目的とする。【解決手段】 本発明の刈取装置は、第２フレーム（１０ｆ）の前部と後部の間に連結されると共に、前記分草具（１１Ｒ）によって分草された穀稈を、前記回動支点軸（１７）よりも刈幅方向の外側へ案内する分草ガイド杆（２１）を備える。また、分草フロントフレーム（１０ｆ）は、分草リヤフレーム（１０ｒ）の前部に設けられた支持部材（１１１）に回動可能に支持される被支持部材（１２１）を有し、分草ガイド杆（２１）の後部は、被支持部材（１２１）と連結されている。【選択図】      図９
2016086697.tif 000002
【特許請求の範囲】
【請求項１】
前後方向に延伸する第１フレーム（１０ｒ）と、該第１フレーム（１０ｒ）の前部に位置する回動支点軸（１７）回りに回動可能に支持された第２フレーム（１０ｆ）と、該第２フレーム（１０ｆ）の前部に支持されて穀稈を分草する分草具（１１Ｒ）と、該分草具（１１Ｒ）の後方に配置された刈刃装置（１３）を備えた刈取装置において、
前記第２フレーム（１０ｆ）の前部と後部の間に連結されると共に、前記分草具（１１Ｒ）によって分草された穀稈を、前記回動支点軸（１７）よりも刈幅方向の外側へ案内する分草ガイド杆（２１）を備えたことを特徴とする刈取装置。
【請求項２】
前記第２フレーム（１０ｆ）の後部には、前記第１フレーム（１０ｒ）の前部に設けられた支持部材（１１１）に回動可能に支持される被支持部材（１２１）を有し、前記分草ガイド杆（２１）の後部は、前記被支持部材（１２１）と連結されている請求項１に記載の刈取装置。
【請求項３】
前記第２フレーム（１０ｆ）の前記回動支点軸（１７）回りの回動角度範囲を規制する回動規制手段（２４）を備え、
該回動規制手段（２４）には、前記第１フレーム（１０ｒ）に設けられて穀稈引起し用の引起装置（１２Ｒ）の下部を支持する引起支持部材（２５）と、前記第２フレーム（１０ｆ）に設けられた被規制部（１３６）を有し、前記引起支持部材（２５）と前記被規制部（１３６）が接触することで、第２フレーム（１０ｆ）の回動を規制する請求項１又は請求項２に記載の刈取装置。
【請求項４】
前記第２フレーム（１０ｆ）の後部には、前記第１フレーム（１０ｒ）の前部に設けられた支持部材（１１１）に回動可能に支持される被支持部材（１２１）を有し、
前記被規制部（１３６）は、前記支持部材（１１１）よりも上方に配置されている請求項３に記載の刈取装置。
【請求項５】
前記被支持部材（１２１）は、前記回動支点軸（１７）を軸心とするピン（１３０ａ）を挿し通す穴（１２３ａ）が形成されたプレート（１２３）を有し、
前記被規制部（１３６）は、前記プレート（１２３）の後部に形成されている請求項４に記載の刈取装置。
【発明の詳細な説明】
【技術分野】
【０００１】
この発明は、刈取装置に関する。
【背景技術】
【０００２】
特許文献１に示すように、従来、既刈地側の分草具を左右内外へ回動自在に設けることで、両側端の分草具の間隔を変更して、刈取装置へ導入する穀稈の条数を変更するように構成したものが知られている。
【先行技術文献】
【特許文献】
【０００３】
【特許文献１】特開２００６−１５８３３２号公報
【発明の概要】
【発明が解決しようとする課題】
【０００４】
上記文献に記載の分草具は、回動する分草具の支持剛性が低く、分草具やこの分草具を支持するフレームが変形する虞があった。
本発明の課題は、開閉可能な分草具の支持剛性を高めることで、分草具の開閉が円滑に作動すると共に耐久性の高い刈取装置を提供することを目的とする。
【課題を解決するための手段】
【０００５】
本発明は、上記課題を解決すべく次のような技術的手段を講じた。
すなわち、請求項１に記載の発明は、前後方向に延伸する第１フレーム（１０ｒ）と、該第１フレーム（１０ｒ）の前部に位置する回動支点軸（１７）回りに回動可能に支持された第２フレーム（１０ｆ）と、該第２フレーム（１０ｆ）の前部に支持されて穀稈を分草する分草具（１１Ｒ）と、該分草具（１１Ｒ）の後方に配置された刈刃装置（１３）を備えた刈取装置において、前記第２フレーム（１０ｆ）の前部と後部の間に連結されると共に、前記分草具（１１Ｒ）によって分草された穀稈を、前記回動支点軸（１７）よりも刈幅方向の外側へ案内する分草ガイド杆（２１）を備えたことを特徴とする刈取装置である。
【０００６】
請求項２に記載の発明は、前記第２フレーム（１０ｆ）の後部には、前記第１フレーム（１０ｒ）の前部に設けられた支持部材（１１１）に回動可能に支持される被支持部材（１２１）を有し、前記分草ガイド杆（２１）の後部は、前記被支持部材（１２１）と連結されている請求項１に記載の刈取装置である。
【０００７】
請求項３に記載の発明は、前記第２フレーム（１０ｆ）の前記回動支点軸（１７）回りの回動角度範囲を規制する回動規制手段（２４）を備え、該回動規制手段（２４）には、前記第１フレーム（１０ｒ）に設けられて穀稈引起し用の引起装置（１２Ｒ）の下部を支持する引起支持部材（２５）と、前記第２フレーム（１０ｆ）に設けられた被規制部（１３６）を有し、前記引起支持部材（２５）と前記被規制部（１３６）が接触することで、第２フレーム（１０ｆ）の回動を規制する請求項１又は請求項２に記載の刈取装置である。
【０００８】
請求項４に記載の発明は、前記第２フレーム（１０ｆ）の後部には、前記第１フレーム（１０ｒ）の前部に設けられた支持部材（１１１）に回動可能に支持される被支持部材（１２１）を有し、前記被規制部（１３６）は、前記支持部材（１１１）よりも上方に配置されている請求項３に記載の刈取装置である。
【０００９】
請求項５に記載の発明は、前記被支持部材（１２１）は、前記回動支点軸（１７）を軸心とするピン（１３０ａ）を挿し通す穴（１２３ａ）が形成されたプレート（１２３）を有し、前記被規制部（１３６）は、前記プレート（１２３）の後部に形成されている請求項４に記載の刈取装置である。
【発明の効果】
【００１０】
請求項１に記載の発明によれば、分草ガイド杆（２１）によって穀稈を回動支点軸（１７）よりも外側へ案内して回動支点軸（１７）近傍の部材に絡みつくことを防止できるとともに、分草フロントフレーム（１０ｆ）の剛性を高めて分草フロントフレーム（１０ｆ）の変形を防止することができる。また、分草ガイド杆（２１）自体の剛性が高まることで、分草ガイド杆（２１）の変形を防止し、分草効果を高めることができる。
【００１１】
請求項２に記載の発明によれば、請求項１に記載の発明による効果に加えて、分草ガイド杆（２１）の後部が被支持部材（１２１）と連結されていることで、被支持部材（１２１）の剛性を高めることができる。
【００１２】
請求項３に記載の発明によれば、請求項１又は請求項２に記載の発明による効果に加えて、被規制部（１３６）と接触する規制部を引起支持部材（２５）とすることで、刈取装置の部品数を少なくして構造を簡素化するとともに、分草フロントフレーム（１０ｆ）の回動を確実に規制することができる。
【００１３】
請求項４に記載の発明によれば、請求項３記載の発明による効果に加えて、被規制部（１３６）が支持部材（１１１）よりも上方に配置されていることで、被規制部（１３６）に泥土が付着したり穀稈が絡み付いたりすることによって分草フロントフレーム（１０ｆ）が回動できなくなることを回避できる。
【００１４】
請求項５に記載の発明によれば、請求項４に記載の発明による効果に加えて、被規制部（１３６）がプレート（１２３）の後部に形成されていることで、被規制部（１３６）及び被支持部材（１２１）の構造を簡素化して、穀稈の絡み付きや泥土の堆積を抑制することができる。
【図面の簡単な説明】
【００１５】
【図１】コンバインの側面図
【図２】刈取部の要部の側面図
【図３】刈取部の要部の正面図
【図４】分草フレームの切断正面図
【図５】刈取部の要部の側面図
【図６】刈取部の要部の平面図
【図７】操作レバーの側面図
【図８】刈取部の要部の側面図
【図９】分草具の開状態を示す刈取部要の部の平面図
【図１０】分草具の閉状態を示す刈取部の要部の平面図
【図１１】回動支点軸部分の側断面図
【図１２】分草フロントフレームの平面図
【図１３】分草フロントフレームの側面図
【発明を実施するための形態】
【００１６】
この発明の実施例を図面に基づき説明する。
図１は、コンバインの側面図を示すものであり、コンバインの走行車体１には、走行ミッションを介して駆動される左右一対の走行クローラ２，２を備え、後部に搭載した脱穀装置（脱穀部）３の前方部に刈取部４を設置し，刈取部４の横側部には運転席５、運転席前側のフロント操作ボックス６等からなる運転操作部を備え、更に、その運転操作部の後方には脱穀粒を一時的に貯留するグレンタンクＧを装備している。
【００１７】
刈取部４は、刈取支持フレーム７で支持され、この刈取支持フレーム７基端部（後端部）を、走行車体１上に設けた刈取懸架台によって回動自在に軸支している。そして、刈取支持フレーム７の中間部と走行車体１の間に設けた刈取昇降シリンダ８の油圧駆動による伸縮により、刈取部４が上下昇降される。
【００１８】
刈取支持フレーム７の先端部（前端部）には、左右方向の横支持フレーム９の左右中間部を連結しており、横支持フレーム９からコンバインの機体前方に向けて、分草フレーム１０が、左右所定間隔をおいて複数配置されている。
【００１９】
また、刈取部４は、立毛する穀稈を左右に分草する左右の分草具１１Ｌ，１１Ｒ及びこれらの中間に配置される複数の中分草具１１Ｃと、分草後の穀稈を引き起す複数の引起装置１２Ｌ，１２Ｃ，１２Ｒと、引起し後の穀稈を刈り取るバリカン式刈刃装置１３と、刈取後の穀稈を掻込搬送する掻込ベルト１４や掻込スターホイル１５等の掻込搬送装置、掻込搬送後の穀稈を脱穀部に揚上搬送して供給する揚上搬送装置１６等を備えている。各分草具１１は、刈刃装置１３側から前方に突設する分草フレーム１０の先端に取り付けられている。
【００２０】
また、左右外側の分草フレーム１０，１０は、対地高さＨ１を内側の中分草フレーム１０Ｃの対地高さよりも上方に高く（Ｈ１＞Ｈ２）設定して分草作用時における極度の押し倒しを防ぐようにしている。
【００２１】
右端の分草具１１Ｒは、分草フレーム１０の前後方向中間部に設けた上下方向の回動支点軸１７回りに回動可能である。そして、右端の分草具１１Ｒは回動支点軸１７回りに回動することにより、右側の分草具１１Ｒの先端部（前端部）が回動支点軸１７よりも刈幅方向で内側（左側）に位置する閉状態と、先端部（前端部）が回動支点軸１７よりも刈幅方向で外側（右側）に位置する開状態とに切り替えることができる。なお、左外側の分草具１１Ｌも、同様に回動可能とすることもできる。
（分草具の回動構造）
右端の分草具１１Ｒが設けられた右端の分草フレーム１０は、回動支点軸１７より後側（刈刃装置１３側）の分草リヤフレーム１０ｒと、回動支点軸１７より前側(分草具１１Ｒ側)分草フロントフレーム１０ｆを備えている。
【００２２】
分草リヤフレーム１０ｒは、前記横支持フレーム９側の構造部材に支持されて前方へ延伸するフレーム１１０と、このフレーム１１０の前端部に固定されて分草フロントフレーム１０ｆを回動自在に支持する支持部材１１１を備えている。
【００２３】
分草フロントフレーム１０ｆは、分草リヤフレーム１０ｒの支持部材１１１に接続される被支持部材１２１と、この被支持部材１２１に固定されたフレーム１２０と、このフレーム１２０の前端部に設けられて右端の分草具１１Ｒを支持する分草具支持部１２２を備えている。
【００２４】
そして、支持部材１１１と被支持部材１２１とに、円柱状のピン１３０ａである支点部材１３０が挿し通されることで、分草フロントフレーム１０ｆは、分草リヤフレーム１０ｒに対して左右方向に回動することができる。
【００２５】
より詳細には、支持部材１１１は、分草リヤフレーム１０ｒの前端部に溶接等の手段で固定されてピン１３０ａが通される円筒状のボス１１１ａと、このボス１１１ａの内部に挿入される円筒状のブッシュ１１１ｂを有する。なお、ボス１１１ａの円筒の軸線は、回動支点軸１７と一致している。
【００２６】
また、被支持部材１２１は、ピン１３０ａが通される穴１２３ａ，１２４ａがそれぞれ形成された上プレート（プレート）１２３及び下プレート１２４と、この上プレート１２３と下プレート１２４を連結するとともにフレーム１２０を支持する連結プレート１２５を有する。なお、上プレート１２３と下プレート１２４とは、支持部材１１１のボス１１１ａの上下方向の幅と略同じか、それよりも広い間隔を隔てて連結プレート１２５により連結されている。
【００２７】
この様な構成により、被支持部材１２１の上プレート１２３と下プレート１２４の上下方向の間隔部に、支持部材１１１のボスを挿入して、ボス１１１ａの軸線と上プレート１２３及び下プレート１２４の穴１２３ａ，１２４ａの軸心を一致させ、これらにピン１３０ａを挿し通すことで、分草フロントフレーム１０ｆは、回動支点軸１７で回動可能な状態で分草フレーム１０ｒに支持される。
（分草具の回動規制構造）
分草フロントフレーム１０ｆと分草リヤフレーム１０ｒの間には、分草フロントフレーム１０ｆの回動角度範囲を規定することで分草具１１Ｒの設定範囲外への回動を規制する回動規制手段２４を備えている。回動規制手段２４は、分草リヤフレーム１０ｒに設けられた規制部１３５と、分草フロントフレーム１０ｆに設けられた被規制部１３６を含む。
【００２８】
規制部１３５は、引起し装置１２の下部を分草リヤフレーム１０ｒに支持する引起し支持パイプ（引起支持部材）２５を有する。
被規制部１３６は、上プレート１２３と一体的に形成された係合凹部２２を有する。この係合凹部１２３ｄは、上プレート１２３における穴１２３ａが形成された部分である基部１２３ｂから後方へ突出する２つの突起１２３ｃの間に形成された前方へ半円状に凹んだ部分である。
【００２９】
この様な構成により、右端の分草具１１Ｒが刈幅方向で内側（左側）に回動して閉状態となると、２つの突起１２３ｃのうちの左側の突起１２３ｃが、引起し支持パイプ２５と接触し、右端の分草具１１Ｒが閉状態よりも左側へ回動することを規制する。同様に、右端の分草具１１Ｒが刈幅方向で外側（右側）に回動して開状態となると、２つの突起１２３ｃのうちの右側の突起１２３ｃが、引起し支持パイプ２５と接触し、右端の分草具１１Ｒが開状態よりも右側へ回動することを規制する。
（分草フロントフレーム）
分草フロントフレーム１０ｆは、前述したとおり、右端の分草具１１Ｒを支持している。分草フロントフレーム１０ｆのフレーム１２０は、被支持部材１２１の連結フレーム１２５から前方かつ下方へ向って延伸する第１フレーム部１２０ａと、この第１フレーム部１２０ａの前端部に連なって、前方かつ右方へ延伸する第２フレーム部１２０ｂを有し、第２フレーム部１２０ｂの前端部に、分草具支持部１２２が溶接等の手段により固定されている。
（分草ガイド杆）
右端の分草具１１Ｒの後側には、分草具１１Ｒにより非刈取対象穀稈（分草具１１Ｒよりも刈幅の外側へ案内された穀稈）を回動支点軸１７よりも外側へ案内する分草ガイド杆２１を備えている。分草ガイド杆２１は、その前端部が分草具支持部１２２と連結され、後端部が被支持部材１２１と連結されている。従って、分草ガイド杆２１は、分草フロントフレーム１０ｆが回動支点軸１７回りに回動したときに、分草フロントフレーム１０ｆ及び分草具１１Ｒと共に回動支点軸１７回りに回動する。
【００３０】
分草ガイド杆２１の前端部は、分草具支持部１２２における第２フレーム部１２０ｂの前端部と連結されている部分よりも前方側の部位に、溶接等の手段により固定されている。また、分草ガイド杆２１の後端部は、被支持部材１２１の連結プレート１２５に形成された側方延伸部１２５ａの外側端部に、溶接等の手段により固定されている。すなわち、分草ガイド杆２１は、分草具支持部１２２と分草フロントフレーム１０ｆの後端部を連結することにより、分草フロントフレーム１０ｆの剛性を高めている。
【００３１】
分草ガイド杆２１は丸棒状の部材であり、前端部から後方へ向うほど分草フロントフレーム１０ｆの姿勢に対して平面視で分草フロントフレーム１０ｆから離れるように傾斜した姿勢であって、第１フレーム部１２０ａと側面視で略平行な姿勢で設けられている。
【００３２】
また、分草ガイド杆２１は、その前端部が第２フレーム部１２０ｂの前端部よりも高い位置に配置され、後端部が、第１フレーム部１２０ａの後端部よりも高い位置に配置されている。
（操作レバーと分草具の連動構造）
右端の分草具１１Ｒと、この分草具１１Ｒを開状態と閉状態に切替操作する操作レバー２６は、作動ワイヤ１９により連繋されている。また、分草具１１Ｒが閉状態となる側へ付勢するリターンスプリング１４０が設けられている。
【００３３】
操作レバー２６の操作により作動ワイヤ１９が引かれて張られると、リターンスプリング１４０の付勢力に抗して分草具１１Ｒは開状態となる方向へ回動し、操作レバー２６の操作により作動ワイヤ１９が緩むと、リターンスプリング１４０の付勢力により、分草具１１Ｒは閉状態となる方向へ回動する。
【００３４】
作動ワイヤ１９のワイヤアウター１９ｂの分草具１１Ｒ側の端部は、分草リヤフレーム１０ｒに設けられたステー１１２に取り付けられる。
ワイヤアウター１９ｂの内部を通るワイヤ１９ａの分草具側の端部は、連結プレート１２５の側方延伸部１２５ａにスプリング２０を介して取り付けられている。作動ワイヤ１９は、分草リヤフレーム１０ｒのフレーム１１０に沿って、フレーム１１０の外側に配策される。また、ステー１１２は、フレーム１１０の前後方向での中間部において、フレーム１１０の外側（右側）に設けられる。
【００３５】
また、リターンスプリング１４０は、分草リヤフレーム１０ｒの後部に設けられたステー１１３に一端が取り付けられ、他端が連結プレート１２５における回動支点軸よりも左側に設けられたステー１２５ｂに取り付けられている。すなわち、リターンスプリング１４０は、分草リヤフレーム１０ｒの内側（左側）に配置されている。
（分草具の閉状態及び閉状態）
図１０に示すとおり、右端の分草具１１Ｒの先端部が刈幅方向で内側へ回動して閉状態となると、分草具１１Ｒの先端部は、刈幅方向で回動支点軸１７よりも内側に位置する。この状態では、分草具１１Ｒ全体が回動支点軸よりも刈幅方向で内側に位置すると共に、分草具１１Ｒの外側縁（右側縁）は、機体の前後方向に沿い、分草具１１Ｒの内側縁（左側縁）は、機体の前後方向を基準として、後方の部位ほど刈幅方向の内側に位置するように傾斜する。
【００３６】
また、分草具１１Ｒの閉状態において、分草フロントフレーム１０ｆの第１フレーム部１２０ａは、機体の前後方向を基準として、後方の部位ほど刈幅方向の外側に位置するように傾斜し、第２フレーム部１２０ｂは、機体の前後方向に沿う姿勢となる。
【００３７】
また、分草具１１Ｒの閉状態において、分草ガイド杆２１は、回動支点軸１７よりも刈幅方向で内側から外側に亘って、回動支点軸１７の前方に延在する状態となる。すなわち、分草ガイド杆２１の前端部は回動支点軸１７よりも刈幅方向で内側に位置し、分草ガイド杆２１の後端部は回動支点軸１７よりも刈幅方向で外側に位置する。また、分草ガイド杆２１の後端部は、作動ワイヤ１９及びスプリング２０よりも刈幅方向で外側に位置する。
【００３８】
従って、分草具１１Ｒの閉状態では、分草具１１Ｒ全体を回動支点軸１７よりも刈幅方向で内側に位置させて分草具１１Ｒの内側への移動量を大きく設定しつつも、分草ガイド杆２１により回動支点軸１７及び作動ワイヤ１９近傍への穀稈の干渉を効果的に抑制している。
【００３９】
一方、図９に示すとおり、右端の分草具１１Ｒの先端部が刈幅方向で外側へ回動して開状態となると、分草具１１Ｒの先端部は、刈幅方向で回動支点軸１７よりも外側に位置する。この状態では、分草具１１Ｒの分草具１１Ｒの一部が回動支点軸よりも刈幅方向で内側に位置する。また、分草具１１Ｒの外側縁（右側縁）及び内側縁（左側縁）は、機体の前後方向を基準として、後方の部位ほど刈幅方向の内側に位置するように傾斜する。また、分草具１１Ｒの外側縁は、その全長の殆どが、回動支点軸１７に対して刈幅方向の外側に位置し、分草具１１Ｒの内側縁は、その全長の略半分が回動支点軸１７に対して刈幅方向の内側に位置する。
【００４０】
また、分草具１１Ｒの開状態において、分草フロントフレーム１０ｆの第１フレーム部１２０ａは、機体の前後方向に沿う姿勢となり、第２フレーム部１２０ｂは、機体の前後方向を基準として、後方の部位ほど刈幅方向の内側に位置するように傾斜する。
【００４１】
また、分草具１１Ｒの開状態において、分草ガイド杆２１は、その全体が回動支点軸１７よりも刈幅方向で外側に位置するとともに、回動支点軸１７に対して刈幅方向の外側にずれた位置で、機体の前後方向に沿う姿勢となる。また、分草ガイド杆２１の後端部は、作動ワイヤ１９及びスプリング２０よりも刈幅方向で外側に位置する。
【００４２】
分草具１１Ｒの開状態では、分草具１１Ｒが後方の部位ほど刈幅方向の内側に位置するように傾斜する姿勢となり、コンバインの刈取作業中に、圃場に植生する穀稈や圃場面から、分草具１１Ｒに機体の前方から方向へ向う方向の力が作用する。そのため、第２フレーム１２０ｂの前端部と分草具支持部１２２との連結部等に大きな力がかかることになるが、機体の前後方向に沿う姿勢の第１フレー部１２０ａ及び分草ガイド杆２１がこの力を受け止めることにより、分草フロントフレーム１０ｆや分草部支持部１２２の破損が防止される。
【００４３】
以上の構成により、右外側の分草具１１Ｒを閉状態とすると、右外側の分草具１１Ｒとこれに隣り合う中分草具１１Ｃとの間に１条分の穀稈が導入される。
また、右外側の分草具１１Ｒを開状態とすると、右外側の分草具１１Ｒとこれに隣り合う中分草具１１Ｃとの間に２条分の穀稈が導入される。
【符号の説明】
【００４４】
１０    分草フレーム
１０ｆ  分草フロントフレーム
１０ｒ  分草リヤフレーム
１１Ｒ  分草具（右端の分草具）
１２    引起装置
１３    刈刃装置
１７    回動支点軸
２１    分草ガイド杆
２４    回動規制手段
２５    引起し支持パイプ（引起支持部材）
１１１    支持部材
１２１    被支持部材
１２３    プレート
１２３ａ  穴
１３６    被規制部
【図１】
2016086697.tif 000003
【図２】
2016086697.tif 000004
【図３】
2016086697.tif 000005
【図４】
2016086697.tif 000006
【図５】
2016086697.tif 000007
【図６】
2016086697.tif 000008
【図７】
2016086697.tif 000009
【図８】
2016086697.tif 000010
【図９】
2016086697.tif 000011
【図１０】
2016086697.tif 000012
【図１１】
2016086697.tif 000013
【図１２】
2016086697.tif 000014
【図１３】
2016086697.tif 000015